(57)【要約】【課題】表示装置等の送信装置から送信される音声信号の音声フォーマットが切り替わったとき、無音区間が発生することを防止する音声処理装置及び送信装置を提供すること。【解決手段】  音声処理装置の音声受信部が受信する音声フォーマットが第１の音声フォーマットから第１の音声フォーマット以外の音声フォーマットに変更されたとき、音声処理装置は、音場モードに応じて音声出力装置を切り替え、第２音場処理手段が音声信号を出力できる準備が整った後、第２音場処理手段によって出力される音声信号を音声出力装置に出力するよう設定する。音声信号の音声フォーマットが第１の音声フォーマット以外の音声フォーマットから第１の音声フォーマットに変更されたとき、音声処理装置は、音場モードに応じて音声出力装置を切り替え、第１音場処理手段が音声信号を出力できる準備が整った後、第１音場処理手段によって出力される音声信号を音声出力装置に出力する。【選択図】図１
2013191964.tif 000002
【特許請求の範囲】
【請求項１】
音声信号を送信可能な音声送信装置に接続可能な音声処理装置であって、
前記音声送信装置が送信する音声信号を受信する音声受信部と、
前記音声受信部が受信する音声信号の音声フォーマットを判別する音声フォーマット判別手段と、
音声フォーマットに対応する音場モードを管理する音場モード管理手段と、
音声信号に音場モードに対応する音声信号処理を実行する第１音場処理手段と、
音声信号に音場モードに対応する音声信号処理を実行する第２音場処理手段と、
音場モードに応じて音声を出力する音声出力装置を切り替える出力装置切替手段と、
前記第１音場処理手段、または前記第２音場処理手段に音声フォーマットに対応する音場モードを設定する設定手段と、
音声信号を前記音声出力装置から出力する出力手段と、
音声信号を前記音声出力装置から出力しないよう設定するミュート手段とを備え、
前記音声受信部が第１の音声フォーマットの音声信号を受信したとき、前記出力手段が、前記第１音場処理手段によって出力される音声信号を前記音声出力装置から出力し、
前記音声フォーマット判別手段が、前記音声受信部が受信中の音声信号の音声フォーマットが第１の音声フォーマットから前記第１の音声フォーマット以外の音声フォーマットに変更されたと判別したとき、前記設定手段が、前記第２音場処理手段に音場モードを設定し、前記出力装置切替手段が音場モードに応じて前記音声出力装置を切り替え、前記第２音場処理手段が音声信号を出力可能になった後、
前記ミュート手段が、前記第１音場処理手段によって出力される音声信号をミュートし、
前記出力手段が、前記第２音場処理手段によって出力される音声信号を前記音声出力装置から出力し、
前記音声フォーマット判別手段が、前記音声受信部が受信中の音声信号の音声フォーマットが前記第１の音声フォーマット以外の音声フォーマットから前記第１の音声フォーマットに変更されたと判別したとき、前記設定手段が、前記第１音場処理手段に音場モードを設定し、前記出力装置切替手段が音場モードに応じて前記音声出力装置を切り替え、前記第１音場処理手段が音声信号を出力可能になった後、
前記ミュート手段が、前記第２音場処理手段によって出力される音声信号をミュートし、
前記出力手段が、前記第１音場処理手段によって出力される音声信号を前記音声出力装置から出力する、音声処理装置。
【請求項２】
音声フォーマットと、音場モードと、前記音声出力装置とを対応付けて管理する管理手段と、
前記音声受信部が受信中の音声フォーマットに対応付けられた音場モードのうち、前記第１の音声フォーマットに対応する前記音声出力装置と同一の前記音声出力装置から音声を出力する音場モードを選択する選択手段とを備え、
前記音声フォーマット判別手段が、前記音声受信部が受信中の音声信号の前記音声フォーマットが前記第１の音声フォーマットから前記第１の音声フォーマット以外の音声フォーマットに変更されたと判別したとき、前記設定手段が、前記選択手段によって選択される音場モードを前記第２音場処理手段に設定し、
前記第２音場処理手段が、音場モードに対応する音声信号処理を実行し、前記出力装置切替手段が選択された音場モードに応じて前記音声出力装置を切り替える、請求項１に記載の音声処理装置。
【請求項３】
音声信号を送信可能な音声送信装置に接続可能な音声処理装置であって、
前記音声送信装置が送信する第１形式の音声信号を受信する第１音声受信部と、
前記音声送信装置が送信する第２形式の音声信号を受信する第２音声受信部と、
前記第１音声受信部が受信する音声信号の音声フォーマットを判断する音声フォーマット判別手段と、
前記音声フォーマットに対応する音場モードを管理する音場モード管理手段と、
音場モードに対応する音声信号処理を音声信号に実行する音場処理手段と、
音場モードに応じて音声を出力する音声出力装置を切り替える出力装置切替手段と、
前記音場処理手段に音場モードを設定する設定手段と、
音声信号を前記音声出力装置から出力する出力手段と、
音声信号を前記音声出力装置から出力しないよう設定するミュート手段とを備え、
前記第１音声受信部が第１の音声フォーマットの音声信号を受信したとき、前記出力手段が、前記第１音声受信部が受信する音声信号を前記音声出力装置から出力し、
前記音声フォーマット判別手段が、前記第１音声受信部が受信中の音声信号の前記音声フォーマットが第１の音声フォーマットから前記第１の音声フォーマット以外の音声フォーマットに変更されたと判別したとき、
前記ミュート手段が、前記第１音声受信部が受信する音声信号の出力をミュートし、
前記出力手段が、前記第２音声受信部が受信する音声信号を前記音声出力装置に出力し、
前記音声フォーマット判別手段が、前記第１音声受信部が受信中の音声信号の音声フォーマットが前記第１の音声フォーマット以外の音声フォーマットから前記第１の音声フォーマットに変更されたと判別したとき、前記設定手段が、前記音場処理手段に音場モードを設定し、前記出力装置切替手段が音場モードに応じて前記音声出力装置を切り替え、前記音場処理手段が音声信号を出力可能になった後、
前記ミュート手段が、前記第２音声受信部が受信する音声信号の出力をミュートし、
前記出力手段が、前記第１音声受信部が受信する音声信号を前記音声出力装置に出力する、音声処理装置。
【請求項４】
前記出力手段が、前記第２音声受信部に入力される音声信号を前記音声出力装置へ出力開始してからの経過時間をカウントする経過時間カウント手段と、
前記経過時間が、一定時間より大きいか否かを判断する判断手段とを備え、
前記判断手段によって、一定時間より時間が経過したと判断された後、前記出力手段が、前記音場処理手段によって出力される音声信号を前記音声出力装置から出力する、請求項３に記載の音声処理装置。  
【請求項５】
請求項１〜４に記載の音声処理装置の各手段を前記音声処理装置に実行させる、音声処理装置プログラム。
【発明の詳細な説明】
【技術分野】
【０００１】
本発明は、音声処理装置及びそのプログラムに関する。
【背景技術】
【０００２】
テレビ等の表示装置(以下、表示装置という。)から出力される音声信号を入力可能な音声処理装置（以下、ＡＶアンプという。）は、表示装置から送信される音声信号のフォーマットに応じて音声信号に音声処理を実行し、ＡＶアンプに接続されるスピーカーから出力する。音声信号のフォーマットは、例えば、ステレオ、モノラル、ＡＡＣサラウンド等である。音声処理は、音声処理手段（ＤＳＰ）による音声信号のデコード処理や、デコードされた音声信号への音場モードの適用などである。
【０００３】
ところで、地上デジタル放送等における映画番組や野球中継は、ＡＡＣサラウンド方式のフォーマットでエンコードされた音声信号であることが多く、その場合、表示装置はＡＡＣサラウンドフォーマットの音声信号を含む放送を受信し、ＡＶアンプに送信する。ＡＶアンプのＤＳＰは、ＡＡＣサラウンド音声信号をデコードし、ＡＶアンプに接続される複数のスピーカーに音声を出力する。この結果、ユーザは映画や野球中継を臨場感のある音声で楽しむことができる。
【０００４】
ところで、地上デジタル放送において映画や野球中継等の本編部分はＡＡＣサラウンドフォーマット(第１の音声フォーマット)で音声信号が送信されるが、映画や野球中継の合間に挿入されるＣＭ等における音声信号のフォーマットはモノラルフォーマット、またはステレオフォーマット(第２の音声フォーマット)である。ＡＶアンプは、表示装置から入力される音声信号のフォーマットが切り替わる度にリスニングモードを切り替える。例えば、ＡＶアンプはステレオフォーマットの音声信号が入力された場合は、フロント２ｃｈのスピーカーのみから音声を出力し、ＡＡＣサラウンドフォーマットの音声信号が入力された場合はフロントスピーカー、センタースピーカー、サラウンドスピーカー等を含む６つのスピーカーから音声を出力する。ＡＶアンプは、リスニングモードの切替を実行するとき、ノイズ等の発生を防止するためにミュート処理を実行する。この結果、例えば、放送がＣＭから映画の本編に切り替わったとき、一時的に音声がＡＶアンプに接続されるスピーカーから出力されず、ユーザが映画の冒頭の音声を聞き取れなくなるという問題がある。
【０００５】
特開２００８−６７２７９号公報には、音場モードを複数の音場モード間で遷移させて他の音場モードに切り替える際、切り替えの遷移期間のゲイン調整部に設定すべきゲインを切替前後のゲイン設定値から補間してゲイン調整部に設定し、音場モードを切り替えるオーディオ装置が記載されている。
【先行技術文献】
【特許文献】
【０００６】
【特許文献１】特開２００８−６７２７９号公報
【発明の概要】
【発明が解決しようとする課題】
【０００７】
本発明は上記従来の課題を解決するためになされたものであり、その目的は、表示装置等の音声送信装置から送信される音声信号の音声フォーマットが切り替わったとき、無音区間が発生することを防止する音声処理装置を提供することである。
【課題を解決するための手段】
【０００８】
本発明の好ましい実施形態による音声処理装置は、音声信号を送信可能な音声送信装置に接続可能な音声処理装置であって、前記音声送信装置が送信する音声信号を受信する音声受信部と、前記音声受信部が受信する音声信号の音声フォーマットを判別する音声フォーマット判別手段と、音声フォーマットに対応する音場モードを管理する音場モード管理手段と、音声信号に音場モードに対応する音声信号処理を実行する第１音場処理手段と、音声信号に音場モードに対応する音声信号処理を実行する第２音場処理手段と、音場モードに応じて音声を出力する音声出力装置を切り替える出力装置切替手段と、前記第１音場処理手段、または前記第２音場処理手段に音声フォーマットに対応する音場モードを設定する設定手段と、音声信号を前記音声出力装置から出力する出力手段と、音声信号を前記音声出力装置から出力しないよう設定するミュート手段とを備え、前記音声受信部が第１の音声フォーマットの音声信号を受信したとき、前記出力手段が、前記第１音場処理手段によって出力される音声信号を前記音声出力装置から出力し、前記音声フォーマット判別手段が、前記音声受信部が受信中の音声信号の音声フォーマットが第１の音声フォーマットから前記第１の音声フォーマット以外の音声フォーマットに変更されたと判別したとき、前記設定手段が、前記第２音場処理手段に音場モードを設定し、前記出力装置切替手段が音場モードに応じて前記音声出力装置を切り替え、前記第２音場処理手段が音声信号を出力可能になった後、前記ミュート手段が、前記第１音場処理手段によって出力される音声信号をミュートし、前記出力手段が、前記第２音場処理手段によって出力される音声信号を前記音声出力装置から出力し、前記音声フォーマット判別手段が、前記音声受信部が受信中の音声信号の音声フォーマットが前記第１の音声フォーマット以外の音声フォーマットから前記第１の音声フォーマットに変更されたと判別したとき、前記設定手段が、前記第１音場処理手段に音場モードを設定し、前記出力装置切替手段が音場モードに応じて前記音声出力装置を切り替え、前記第１音場処理手段が音声信号を出力可能になった後、前記ミュート手段が、前記第２音場処理手段によって出力される音声信号をミュートし、前記出力手段が、前記第１音場処理手段によって出力される音声信号を前記音声出力装置から出力する。
【０００９】
音声処理装置の音声受信部が受信する音声フォーマットが第１の音声フォーマットから第１の音声フォーマット以外の音声フォーマットに変更されたとき、音声処理装置は、音場モードに応じて音声出力装置を切り替え、第２音場処理手段が音声信号を出力できる準備が整った後、第２音場処理手段によって出力される音声信号を音声出力装置に出力するよう設定する。さらに音声信号の音声フォーマットが第１の音声フォーマット以外の音声フォーマットから第１の音声フォーマットに変更されたとき、音声処理装置は、音場モードに応じて音声出力装置を切り替え、第１音場処理手段が音声信号を出力できる準備が整った後、第１音場処理手段によって出力される音声信号を音声出力装置に出力する。この結果、音声フォーマットの切り替わりによって音声出力装置から出力される音声が途切れることを防止できる。
【００１０】
好ましい実施形態においては、音声フォーマットと、音場モードと、前記音声出力装置とを対応付けて管理する管理手段と、前記音声受信部が受信中の音声フォーマットに対応付けられた音場モードのうち、前記第１の音声フォーマットに対応する前記音声出力装置と同一の前記音声出力装置から音声を出力する音場モードを選択する選択手段とを備え、前記音声フォーマット判別手段が、前記音声受信部が受信中の音声信号の前記音声フォーマットが前記第１の音声フォーマットから前記第１の音声フォーマット以外の音声フォーマットに変更されたと判別したとき、前記設定手段が、前記選択手段によって選択される音場モードを前記第２音場処理手段に設定し、前記第２音場処理手段が、音場モードに対応する音声信号処理を実行し、前記出力装置切替手段が選択された音場モードに応じて前記音声出力装置を切り替える。
【００１１】
音声処理装置は、第１の音声フォーマットから第１の音声フォーマット以外の音声フォーマットに変更されたと判断したとき、第１の音声フォーマットに対応する音声出力装置と同一の音声出力装置から音声を出力する音場モードを選択し、第２音場処理手段が、選択手段によって選択された音場モードに対応する音声処理を実行する。この結果、音声フォーマットごとに音声を出力する音声出力装置が切り替わらない。
【００１２】
本発明の別の好ましい実施形態による音声処理装置は、音声信号を送信可能な音声送信装置に接続可能な音声処理装置であって、前記音声送信装置が送信する第１形式の音声信号を受信する第１音声受信部と、前記音声送信装置が送信する第２形式の音声信号を受信する第２音声受信部と、前記第１音声受信部が受信する音声信号の音声フォーマットを判断する音声フォーマット判別手段と、前記音声フォーマットに対応する音場モードを管理する音場モード管理手段と、音場モードに対応する音声信号処理を音声信号に実行する音場処理手段と、音場モードに応じて音声を出力する音声出力装置を切り替える出力装置切替手段と、前記音場処理手段に音場モードを設定する設定手段と、音声信号を前記音声出力装置から出力する出力手段と、音声信号を前記音声出力装置から出力しないよう設定するミュート手段とを備え、前記第１音声受信部が第１の音声フォーマットの音声信号を受信したとき、前記出力手段が、前記第１音声受信部が受信する音声信号を前記音声出力装置から出力し、前記音声フォーマット判別手段が、前記第１音声受信部が受信中の音声信号の前記音声フォーマットが第１の音声フォーマットから前記第１の音声フォーマット以外の音声フォーマットに変更されたと判別したとき、前記ミュート手段が、前記第１音声受信部が受信する音声信号の出力をミュートし、前記出力手段が、前記第２音声受信部が受信する音声信号を前記音声出力装置に出力し、前記音声フォーマット判別手段が、前記第１音声受信部が受信中の音声信号の音声フォーマットが前記第１の音声フォーマット以外の音声フォーマットから前記第１の音声フォーマットに変更されたと判別したとき、前記設定手段が、前記音場処理手段に音場モードを設定し、前記出力装置切替手段が音場モードに応じて前記音声出力装置を切り替え、前記音場処理手段が音声信号を出力可能になった後、前記ミュート手段が、前記第２音声受信部が受信する音声信号をミュートし、前記出力手段が、前記第１音声受信部が受信する音声信号を前記音声出力装置に出力する。
【００１３】
音声処理装置は、第１音声受信部が受信中の音声信号の音声フォーマットが第１の音声フォーマットから第１の音声フォーマット以外の音声フォーマットに変更されたと判別したとき、第２音声受信部が受信する音声信号を音声出力装置に出力するよう設定する。さらに、音声処理装置は、第１の音声フォーマット以外の音声フォーマットから第１の音声フォーマットに変更されたと判別したとき、音場モードに対応する音声信号処理を実行し、音声出力装置を切り替えた後、第１音声受信部が受信する音声信号を音声出力装置に出力するよう設定する。この結果、音声フォーマットの切り替わりによって音声出力装置から出力される音声が途切れることを防止できる。
【００１４】
本発明の別の好ましい実施形態による音声処理装置は、前記出力手段が、前記第２音声受信部に入力される音声信号を前記音声出力装置へ出力開始してからの経過時間をカウントする経過時間カウント手段と、前記経過時間が、一定時間より大きいか否かを判断する判断手段とを備え、前記判断手段によって、一定時間より時間が経過したと判断された後、前記出力手段が、前記音場処理手段によって出力される音声信号を前記音声出力装置から出力する。
【００１５】
音声処理装置は、一定時間以上第１の音声フォーマットの音声信号の入力がないと判断したとき、第１音声受信部によって受信される音声信号を音声出力装置へ出力するよう設定する。この結果、一定時間以上第１の音声フォーマットの音声信号の入力がないとき、第１音声受信部が受信する音声信号を音声出力装置から出力できる。
【発明の効果】
【００１６】
表示装置等の送信装置から送信される音声信号の音声フォーマットが切り替わったとき、無音区間が発生することを防止する音声処理装置を提供できる。
【図面の簡単な説明】
【００１７】
【図１】本発明の好ましい実施形態による機器のブロック図である。
【図２】本発明の好ましい実施形態による制御部１１が実行するフローチャートである。
【図３】本発明の好ましい実施形態による制御部１１が実行するフローチャートである。
【図４】リスニングモードのテーブルである。
【図５】本発明の好ましい実施形態による機器のブロック図である。
【図６】本発明の好ましい実施形態による制御部１１が実行するフローチャートである。
【図７】本発明の好ましい実施形態による制御部１１が実行するフローチャートである。
【発明を実施するための形態】
【００１８】
以下、本発明の好ましい実施形態による音声処理装置について、図面を参照して具体的に説明するが、本発明はこれらの実施形態には限定されない。
【００１９】
図１は、本発明の好ましい実施形態による音声処理装置と表示装置とのブロック図である。
【００２０】
[実施形態１]
ＡＶアンプ１００は、制御部１１、記憶部１２、音声処理部１３Ａ（第１音場処理手段）、音声処理部１３Ｂ（第２音場処理手段）、ＤＡＣ１４、増幅部１５、通信部１６、及びデジタル音声受信部１７を備える。制御部１１は記憶部１２に格納されたプログラムを実行することによりＡＶアンプ１００全体を制御するものであり、例えばマイコンやＣＰＵである。記憶部１２は、ＡＶアンプ１００の設定内容などを保持するものであり、例えばＲＯＭやＲＡＭである。音声処理部１３Ａ及び音声処理部１３Ｂは、ＤＳＰであり、デジタル音声受信部１７が受信するデジタル音声信号の音声フォーマットの解析、リスニングモードの設定等を実行する。なお、デジタル音声受信部１７が受信するデジタル音声信号は、音声処理部１３Ａと音声処理部１３Ｂとの両方に入力される。ＤＡＣ１４はデジタルーアナログ変換部であり、音声処理部１３Ａまたは１３Ｂによって処理されたデジタル音声信号をアナログ音声信号に変換する。増幅部１５は、ＤＡＣ１４によって出力されるアナログ信号を増幅し、ＡＶアンプ１００に接続されるスピーカー１９に出力する。なお、スピーカー１９は、フロント、センター、サブウーファー、サラウンドなどの複数のスピーカーで構成される。
【００２１】
通信部１６は、ＨＤＭＩ規格のＣＥＣ等のコマンドを送受信するインターフェースであり、表示装置２００の通信部２３と任意のコマンドをやりとりする。なお、ＣＥＣに限られるものではなく、イーサネット等の通信インターフェース等でもよい。デジタル音声受信部１７は、表示装置２００が送信するデジタル音声信号を受信するインターフェースであり、例えば光デジタル端子、同軸デジタル端子等である。
【００２２】
表示装置２００は、制御部２１、記憶部２２、通信部２３、放送受信部２４、表示部２５、及びデジタル音声送信部２６を備える。制御部２１は記憶部２２に格納されたプログラムを実行することにより表示装置２００全体を制御するものであり、例えばマイコンやＣＰＵである。記憶部２２は、表示装置２００の設定内容などを保持するものであり、例えばＲＯＭやＲＡＭである。
【００２３】
表示部２５は、ディスプレイ装置であり、例えば液晶ディスプレイやプラズマディスプレイである。放送受信部２４は、地上デジタル放送やＣＳデジタル放送等を受信するチューナである。放送受信部２４は、音声信号と映像信号とを受信する。デジタル音声送信部２６は、放送受信部２４が受信する信号のうち、音声信号をデジタルデータとして送信するインターフェースであり、例えば光デジタル端子、同軸デジタル端子等である。また、通信部１６とデジタル音声受信部１７とは、ＨＤＭＩ入力端子として１つの端子内に含まれてもよい。同様に、通信部２３とデジタル音声送信部２６とはＨＤＭＩ出力端子として１つの端子内に含まれてもよい。なお、ＡＶアンプ１００のデジタル音声受信部１７に入力される音声信号は、表示装置２００から送信されるものに限定されない。例えば、ＡＶアンプ１００に接続されるＨＤＤレコーダに表示装置２００が受信する放送データを録画し、録画済み放送データの音声信号がデジタル音声受信部１７に入力されてもよい。
【００２４】
以上の構成を備えるＡＶアンプ１００の制御部１１は、デジタル音声受信部１７が本編用の音声信号を受信中は音声処理部１３Ａを介する音声信号をスピーカー１９から出力し、非本編用の音声信号に切り替わったとき、音声処理部１３Ｂを介する音声信号をスピーカー１９から出力する。制御部１１は、デジタル音声受信部１７が再度本編用の音声信号を受信したとき、音声処理部１３Ａによって処理される音声信号が出力可能な状態になった後、音声処理部１３Ａを介する音声信号をスピーカー１９から出力する。
【００２５】
図２は、実施形態１のフローチャートを示す。本実施形態によると、デジタル音声受信部１７が本編用の音声信号を受信中の場合、音声処理部１３Ａによって処理されるデジタル音声信号がスピーカー１９から出力され、非本編用の音声信号を受信中の場合、音声処理部１３Ｂによって処理されるデジタル音声信号がスピーカー１９から出力される。
【００２６】
ＡＶアンプ１００の制御部１１は、音声処理部１３Ｂによって音声処理される音声信号をＤＡＣ１４、及び増幅部１５を介してスピーカー１９へ出力する経路(以下、音声処理部１３Ｂ経路という。)によって音声が出力されるよう設定する（Ｓ１０１）。制御部１１は音声処理部１３Ｂ経路によって音声が出力されるよう設定するとき、音声処理部１３Ｂから出力される音声信号をスピーカー１９へ出力し、音声処理部１３Ａから出力される音声信号をミュートする。音声処理部１３Ａにもデジタル音声信号が入力されるが、音声処理部１３Ａは音声信号の音声フォーマット解析処理やリスニングモード設定処理を実行してもよいし、実行しなくてもよい。
【００２７】
本編用の音声フォーマットの音声信号が入力されたとき、制御部１１は、音声処理部１３Ａまたは１３Ｂによって、本編用の音声信号であるＡＡＣサラウンドフォーマットの音声信号が入力されたことを検出する（Ｓ１０２）。制御部１１は、音声処理部１３ＡにＡＡＣサラウンドフォーマットに対応するリスニングモード（ＡＡＣ）を設定するよう指示する（Ｓ１０３）。リスニングモードは、ＡＶアンプ１００に入力される音声信号のフォーマットに応じて適用される音場モードである。例えば、ＡＡＣサラウンドフォーマットの場合、リスニングモード「ＡＡＣ」が適用され、フロントスピーカー２ｃｈ、サラウンドスピーカー２ｃｈ、センタースピーカー１ｃｈ、サブウーファー０．１ｃｈの計５．１個のスピーカーから音声が出力される。なお、制御部１１は、音声処理部１３ＡがＡＡＣサラウンドフォーマットに対応する音声処理を完了し、後述するリレー制御を完了するまで、音声処理部１３Ａを経由する音声信号がＤＡＣ１４、及び増幅部１５を介してスピーカーへ出力されないよう、ミュート処理を実行する(以下、音声処理部１３Ａミュートという。)。
【００２８】
制御部１１は、リレースイッチを切り替える。（Ｓ１０４）。リレースイッチは、音声を出力するスピーカー１９の数や組み合わせを決定するスイッチである。制御部１１は、リスニングモードに応じて、リレースイッチを切り替えることにより、音声を出力するスピーカーの組み合わせを変更する。制御部１１は、音声処理部１３Ａから出力される音声信号をＤＡＣ１４及び増幅部１５を介してスピーカー１９から出力する経路(以下、音声処理部１３Ａ経路という。)によって音声がスピーカー１９から出力されるよう、音声処理部１３Ａから出力される音声信号のミュートを解除する。さらに、制御部１１は、音声処理部１３Ｂから出力される音声信号がＤＡＣ１４及び増幅部１５を介してスピーカー１９から出力する経路（以下、音声処理部１３Ｂ経路という。）によって出力されないようミュートする（以下、音声処理部１３Ｂミュートという。）（Ｓ１０５）。すなわち、Ｓ１０１からＳ１０４の処理の間は、音声処理部１３Ｂから出力される音声信号がスピーカー１９から出力される。Ｓ１０５の処理によって、音声処理部１３Ｂから出力される音声信号がミュートされ、音声処理部１３Ａから出力される音声信号がスピーカー１９から出力される。以上の処理の結果、Ｓ１０３及びＳ１０４の処理が実行される間、音声処理部１３Ａ経路による音声はミュートされるが、音声処理部１３Ｂ経路による音声がスピーカー１９から出力され続けるので、音声が途切れることがない。
【００２９】
地上デジタル放送の放送内容が本編から非本編に変更されたとき、表示装置２００の放送受信部２４は非本編用の音声フォーマットの音声信号を受信し、ＡＶアンプ１００の制御部１１は、音声処理部１３Ａ、または１３Ｂによって、本編用の音声フォーマットから非本編用の音声フォーマットに変化したことを検出する（Ｓ１０６）。
【００３０】
制御部１１は、音声処理部１３Ｂに非本編用の音声フォーマットに対応するリスニングモード（Ｓｔｅｒｅｏ、またはモノラル等）を設定するよう指示する。なお、Ｓ１０６からＳ１０８の処理の間、音声処理部１３Ａから出力される音声信号がスピーカー１９から出力される。制御部１１は、リスニングモード「ステレオ」または「モノラル」に対応するスピーカー１９から音声が出力されるようリレースイッチを切替え（Ｓ１０８）、音声処理部１３Ｂ経路による音声信号がスピーカー１９から出力されるようミュートを解除し、音声処理部１３Ａミュートを実行し（Ｓ１０９）、処理を終了する。音声フォーマットが非本編用フォーマットから本編用フォーマットに戻ったとき、制御部１１はＳ１０２以降の処理を実行する。
【００３１】
以上の本実施形態によると、非本編用の音声フォーマットから本編用の音声フォーマットに切り替わったとき、音声処理部１３Ａのリスニングモードの設定及びリレーの設定を完了してから、音声処理部１３Ｂ経路による音声をミュートし、音声処理部１３Ａ経路を介する音声信号をスピーカー１９から出力する。この結果、スピーカー１９から出力される音声が、リスニングモードの設定やリレー制御によって途切れることがない。
【００３２】
[実施形態２]
図３は、実施形態２のフローチャートを示す。図２と同一の処理には同一符号を付し、説明を省略する。本実施形態によると、制御部１１は、非本編用の音声信号が入力されたとき、本編用の音声信号を出力するスピーカーの組み合わせと同一のスピーカーの組み合わせを使用するリスニングモードを選択する。
【００３３】
ＡＶアンプ１００の制御部１１は、音声処理部１３Ａ、または１３Ｂによって、本編用の音声フォーマットから非本編用の音声フォーマットに変化したことを検出したとき（Ｓ１０６）、図４のテーブルを参照し、本編用の音声信号を出力するスピーカーの組み合わせと同一のスピーカーの組み合わせを有するリスニングモードを特定する（Ｓ２０１）。
【００３４】
図４は、記憶部１２に記憶されるリスニングモードとスピーカー１９のチャンネル情報と、リスニングモードを適用可能な入力音声信号のフォーマットとの対応関係を管理するテーブルを示す。テーブル左列は、ＡＶアンプ１００が設定可能なリスニングモードの一覧を示し、テーブル中列はリスニングモードに対応して音声が出力されるスピーカー１９のチャンネル情報を示し、テーブル右列はリスニングモードを適用可能な入力信号の音声フォーマットを示す。例えばリスニングモードがステレオである場合、フロントのライトとレフトとの２つのスピーカー１９から音声が出力され、リスニングモードのステレオを適用可能な音声フォーマットはＭｏｎｏｒａｌ、Ｓｔｅｒｅｏ、ＤＴＳ、Ｄｏｌｂｙである。
【００３５】
制御部１１は、リスニングモードがＡＡＣであるときと同一のスピーカー１９から音声信号を出力可能であり、かつ、非本編用の音声フォーマットに対して適用可能なリスニングモードを選択する。本実施形態では非本編用の音声フォーマットは「Ｍｏｎｏｒａｌ」または「Ｓｔｅｒｅｏ」であることを仮定しているので、リスニングモード「Ｐｒｏ  Ｌｏｇｉｃ２」が選択される。
【００３６】
制御部１１は、Ｓ２０１の処理によって選択されたリスニングモードを音声処理部１３Ｂに設定し（Ｓ２０２）、音声処理部１３Ｂ経路を介する音声信号をスピーカー１９から出力する（Ｓ１０９）。なお、再度、Ｓ１０２の処理によってデジタル音声受信部１７が本編用の音声フォーマットを受信したとき、制御部１１はＳ１０４のリレー制御処理を実行する必要がない。
【００３７】
以上の本実施形態によると、本編用の音声信号を出力するスピーカーの組み合わせと非本編用の音声信号を出力するスピーカーの組み合わせとが同一となるように非本編用のリスニングモードを選択するので、制御部１１はリレー制御を実行する必要がない。この結果、本編と非本編との切り替わりにおいて音声が出力されるスピーカーが変更されない。また、ＡＶアンプ１００において、リレーの切替音が発生しない。
【００３８】
[実施形態３]
図５は、実施形態３のブロック図を示す。図１と同一の処理部には同一符号を付し、説明を省略する。
【００３９】
表示装置２００はアナログ音声送信部２７を備える。ＡＶアンプ１００はアナログ音声受信部１８(第２音声受信部)を備える。アナログ音声送信部２７は、放送受信部２４が受信する音声信号を、アナログ形式に変換して送信するインターフェースであり、例えばＲＣＡタイプの出力端子等である。なお、ＡＶアンプ１００のデジタル音声受信部１７（第１音声受信部)またはアナログ音声受信部１８に入力される音声信号は、表示装置２００から送信されるものに限定されない。例えば、ＡＶアンプ１００に接続されるＨＤＤレコーダに表示装置２００が受信する放送データを録画し、録画済み放送データの音声信号がデジタル音声受信部１７またはアナログ音声受信部１８に入力されてもよい。なお、本実施形態において、ＡＶアンプ１００はＤＳＰ（音声処理部１３）を一つだけ備える。
【００４０】
図６は、実施形態３におけるＡＶアンプ１００の制御部１１のフローチャートを示す。本実施形態によると、制御部１１は、本編用の音声フォーマットを受信したとき、音声処理部１３によって音声処理された音声信号をスピーカー１９に出力し、受信する音声フォーマットが非本編用の音声フォーマットに切り替わったとき、アナログ音声受信部１８によって受信される音声信号をスピーカー１９に出力する。なお、図６のフローチャートは、表示装置２００が本編の放送を受信開始し、本編から非本編に変更されるときの処理を示す。本実施例では、Ｓ３０１の処理が実行されるとき、ＡＶアンプ１００はアナログ音声受信部１８に入力される音声信号を増幅部１５を介してスピーカー１９から出力しているとする。
【００４１】
ＡＶアンプ１００の制御部１１は、デジタル音声受信部１７に入力されるデジタル音声信号を音声処理部１３に伝送し、音声フォーマットを解析する（Ｓ３０１）。なお、表示装置２００の放送受信部２４が音声信号を受信している間、常にＡＶアンプ１００のデジタル音声受信部１７とアナログ音声受信部１８との両方に音声信号が入力される。制御部１１は、音声処理部１３によって音声信号のフォーマットがＡＡＣサラウンドであると判断する（Ｓ３０２）。
【００４２】
制御部１１は、音声処理部１３にリスニングモードを設定するよう指示する（Ｓ３０３）。なお、制御部１１は、音声処理部１３にリスニングモードを変更するよう指示するとき、音声処理部１３から出力されるデジタル音声信号がＤＡＣ１４及び増幅部１５を介してスピーカー１９に出力されないようミュート処理を実行する（以下、デジタルミュートという。）
【００４３】
制御部１１は、リレースイッチをＡＡＣサラウンドモードに応じたスピーカー１９から音声が出力されるよう切り替える（Ｓ３０４）。制御部１１は、デジタル音声受信部１７に入力される音声信号が音声処理部１３、ＤＡＣ１４、及び増幅部１５を介してスピーカー１９に出力される伝送経路が設定されているか否かを判断し（Ｓ３０５）、デジタル音声受信部１７に入力される音声信号がスピーカー１９に出力されるよう設定されていない判断したとき（Ｓ３０５でＮＯ）、デジタル音声受信部１７が受信する音声信号がＤＡＣ１４、増幅部１５を介する経路(以下、デジタル経路という。)を介してスピーカー１９から出力されるよう、デジタルミュートを解除する（Ｓ３０６）。なお、制御部１１はデジタルミュートを解除するとともに、アナログ音声受信部１８に入力される音声信号が増幅部１５を介して出力される経路（以下、アナログ経路という。）によってスピーカー１９から出力されないようにミュートし（以下、アナログミュートという。）、デジタル経路によって音声を出力開始する（Ｓ３０７）。制御部１１はデジタル音声受信部１７に入力される音声信号がスピーカー１９に出力されるよう設定されていると判断したとき（Ｓ３０５でＹＥＳ）、デジタル経路によって音声を出力開始する（Ｓ３０７）。
【００４４】
地上デジタル放送が本編から非本編に変更されたとき、表示装置２００の放送受信部２４は非本編用の音声フォーマットの音声信号を受信し、ＡＶアンプ１００の制御部１１は、音声処理部１３によって、本編用の音声フォーマットから非本編用の音声フォーマットに変化したことを検出する（Ｓ３０８）。非本編用の音声フォーマットはステレオフォーマットやモノラルフォーマットである。
【００４５】
制御部１１は、リスニングモード「ステレオ」または「モノラル」に応じスピーカー１９から音声が出力されるようリレースイッチを切り替え（Ｓ３０９）、アナログ経路を介して音声が出力されるよう設定されているか否かを判断し（Ｓ３１０）、アナログ経路が設定されていないと判断したとき（Ｓ３１０でＮＯ）、デジタル経路によって音声が出力されないようデジタルミュートを実行し、アナログミュートを解除し、アナログ経路によってスピーカー１９から音声を出力する（Ｓ３１１）。制御部１１はアナログ経路によって音声が出力されるよう設定されていると判断したとき（Ｓ３１０でＹＥＳ）、処理を終了する。なお、Ｓ３０８の処理によってアナログミュートが設定されてから、Ｓ３１１の処理によってアナログミュートが解除されるまでの間、デジタル経路による音声がスピーカー１９から出力されるので、音声が途切れることがない。
【００４６】
さらに、放送が非本編から本編に戻ったとき、ＡＶアンプ１００の制御部１１はＳ３０１以降の処理を実行する。Ｓ３１１の処理によってアナログ経路による音声がスピーカー１９から出力されているので、Ｓ３０３〜Ｓ３０６の処理の間もスピーカー１９から出力される音声が途切れることがない。
【００４７】
以上の本実施形態によると、制御部１１は受信中の音声信号のフォーマットが本編用の音声フォーマットから非本編用の音声フォーマットへ移行した場合、アナログ経路による音声信号をスピーカー１９から出力するように設定する。ＡＶアンプ１００が受信する音声信号のフォーマットが非本編用の音声フォーマットから本編用の音声フォーマットへ移行した場合、デジタル経路による音声出力を開始するまでアナログ経路による音声がスピーカー１９から出力されるので、音声が途切れることがない。
【００４８】
[実施形態４]
図７は第４の実施形態におけるフローチャートを示す。図６と同一の処理には同一符号を付し、説明を省略する。本実施形態によると、制御部１１は、音声処理部１３が本編用の音声フォーマットから非本編用の音声フォーマットに変更されたことを検出したとき、タイマによるカウントを開始し、一定時間以上、本編用の音声フォーマットを検出しないとき、デジタル経路による音声出力を開始する。
【００４９】
ＡＶアンプ１００の制御部１１は、音声処理部１３が本編用の音声フォーマットを検出したとき、後述する本編判定用タイマのカウントを停止する（Ｓ４０１）。制御部１１は、音声処理部１３によって非本編用の音声フォーマットを検出し（Ｓ３０８）、本編判定用タイマのカウントを開始する（Ｓ４０２）。本編判定用タイマは、表示装置２００の放送受信部２４が非本編放送を受信開始してから、一定時間後に本編放送が再度放送されるか否かを判定するタイマである。例えば、映画放送において映画が終了していないときは、放送がＣＭ等から本編に戻るが、映画放送が終了したとき、本編放送に戻らない。本編判定用タイマは、カウンタ変数を例えば１秒おきにインクリメントする。なお、カウンタ変数の初期値は０である。
【００５０】
制御部１１は、アナログ経路による音声信号を出力し（Ｓ３１１）、カウンタ値が一定時間を超えているか否かを判断する（Ｓ４０３）。一定時間は、例えば５分などであり、本編放送と本編放送との間に放送される非本編の放送時間の時間長を目安として設定される。
【００５１】
制御部１１は、カウンタ値が一定時間以下であると判断したとき（Ｓ４０３でＮＯ）、カウンタ値が一定時間より大きくなるのを待ち、カウンタ値が一定時間より大きいと判断したとき（Ｓ４０３でＹＥＳ）、デジタル経路を有効にし、リスニングモードの設定やリレー設定をＳ３０３及びＳ３０４の処理に基づいて実行する（Ｓ４０４）。
【００５２】
以上の本実施形態によると、本編放送が終了した後、再度本編が放送されない場合、自動的にアナログ経路による音声出力からデジタル経路による音声出力に変更されるので、ＡＶアンプ１００はデジタル音声受信部１７が受信する音声信号にリスニングモードを適用した音声をスピーカー１９から出力できる。
【００５３】
以上、本発明の好ましい実施形態について説明したが、本発明はこれらの実施形態には限定されない。ＡＶアンプ１００は、ＤＶＤプレーヤやＢＤプレーヤ、またはＨＤＤプレーヤ等の再生装置から送信される音声信号について、本発明の処理を実行してもよい。
【産業上の利用可能性】
【００５４】
本発明は、ＡＶアンプ、ＡＶレシーバ等に好適に採用され得る。
【符号の説明】
【００５５】
１００          ＡＶアンプ
１１            制御部
１２            記憶部
１３            音声処理部
１３Ａ          音声処理部
１３Ｂ          音声処理部
１４            ＤＡＣ
１５            増幅部
１６            通信部
１７            デジタル音声受信部
１８            アナログ音声受信部
１９            スピーカー
２００          表示装置
２１            制御部
２２            記憶部
２３            通信部
２４            放送受信部
２５            表示部
２６            デジタル音声送信部
２７            アナログ音声送信部
【図１】
2013191964.tif 000003
【図２】
2013191964.tif 000004
【図３】
2013191964.tif 000005
【図４】
2013191964.tif 000006
【図５】
2013191964.tif 000007
【図６】
2013191964.tif 000008
【図７】
2013191964.tif 000009